(57)【要約】【課題】ランニングコストが安く、遅延が小さいネットワークを構築するターミナルアダプタ（ＴＡ）を提供する。【解決手段】インタフェース１６と、複数の拠点と仮想チャネルによって接続するＡＴＭインタフェース１１と、受信したセルをフレームに組み立て受信したフレームをセルに分離する手段１２と、フレームのＭＡＣアドレス（ＭＡＣＡｄ）を取得する手段１３と、回線から受信したＭＡＣＡｄを登録する登録テーブル１８と、端末から受信したＭＡＣＡｄを登録する登録テーブル１７と、受信したフレームの送信先ＭＡＣＡｄと登録テーブル１８、１７に登録されたＭＡＣＡｄを比較する比較手段１４と、受信したフレームの送信元ＭＡＣＡｄと登録テーブル１８に登録されたＭＡＣＡｄを比較する手段１５とを備え、登録テーブル１８に登録されていな送信元ＭＡＣＡｄを登録テーブル１８に登録するようにしたＴＡ１。【選択図】        図２
2004228652.tif 000002
【特許請求の範囲】
【請求項１】
ＡＴＭ専用線に接続するためのターミナルアダプタにおいて、
複数の拠点と仮想チャネルによって接続する手段と、
回線側と端末側でそれぞれ受信したフレームの送信元ＭＡＣアドレスを取得し、学習テーブルに登録する手段と、
受信したフレームの送信先ＭＡＣアドレスと学習テーブルに登録されたＭＡＣアドレスを比較する手段と、
ＡＴＭ専用線にセルを送信するときに送信するフレームの送信先ＭＡＣアドレスと仮想チャネル識別子を対応させ、当該仮想チャネルにのみセルを送信する手段と、
送信先ＭＡＣアドレスと学習テーブルを比較して、合致しない場合は回線側と端末側の全てのポートにブロードキャストする手段と、
受信したフレームがブロードキャストあるいはマルチキャストフレームの場合に全てのポートに対しフレームを送信する手段と
を備えたことを特徴とするターミナルアダプタ。
【請求項２】
端末をＡＴＭ専用線に接続するためのターミナルアダプタにおいて、
端末との間でフレームによるデータを送受信するインタフェースと、
ＡＴＭ専用線上で複数の拠点と仮想チャネルによって接続するＡＴＭインタフェースと、
ＡＴＭ専用線から受取ったセルをフレームに組み立て端末から受け取ったフレームをセルに分離する手段と、
ＡＴＭ専用線側または端末側から受信したフレームのＭＡＣアドレスを取得するＭＡＣアドレス取得手段と、
ＡＴＭ専用線から受信したＭＡＣアドレスを登録する回線側ＭＡＣアドレス登録テーブルと、
端末から受信したＭＡＣアドレスを登録する端末側ＭＡＣアドレス登録テーブルと、
ＡＴＭ専用線または端末から受信したフレームの送信先ＭＡＣアドレスと回線側ＭＡＣアドレス登録テーブルもしくは端末側ＭＡＣアドレス登録テーブルに登録されたＭＡＣアドレスを比較する送信先ＭＡＣアドレス比較手段と、
ＡＴＭ専用線から受信したフレームの送信元ＭＡＣアドレスと回線側ＭＡＣアドレス登録テーブルに登録されたＭＡＣアドレスを比較する送信元ＭＡＣアドレス比較手段と、
上記送信元ＭＡＣアドレスが回線側ＭＡＣアドレス登録テーブルに登録されていないときに、当該ＭＡＣアドレスを回線側ＭＡＣアドレス登録テーブルに登録するＭＡＣアドレス登録手段と、
送信先ＭＡＣアドレスとＡＴＭ専用線の仮想チャネル識別子を対応させたＭＡＣアドレス−仮想チャネル識別子変換テーブルと、
ＭＡＣアドレス登録テーブルに登録したＭＡＣアドレスのエージングを行うエージングタイマ
を備えたことを特徴とするターミナルアダプタ。
【発明の詳細な説明】
【０００１】
【発明の属する技術分野】
本発明は、ＡＴＭ専用線に接続するためのターミナルアダプタに関する。
【０００２】
【従来の技術】
従来、１ヶ所のセンタとＮヶ所の拠点を、ＡＴＭ専用線を使用して接続する１：Ｎ接続のネットワークにおいては、拠点側同士で通信を行うためには、拠点側から一度センタ側のターミナルアダプタを介し、センタ側のルータにおいて送信先を判断して送信先である拠点へとフレームを送信するか、あるいはＡＴＭ専用線をアクセス回線として広域ＬＡＮサービスを用いて通信を行っていた。
【０００３】
上記従来技術は、センタ側において一度ルータにフレームを送信して処理を行うため、データの遅延が大きくなるという問題がある。また、ルータにてフレームの処理を行うために複雑なサブネットの設定などが必要となり、ネットワークの構築および運用の両面で手間がかかるという問題がある。さらに、広域ＬＡＮサービスを用いた通信ではＡＴＭ専用線の使用料の他に広域ＬＡＮサービスの使用料も必要になることから、ランニングコストが高くなってしまうという問題がある。
【０００４】
図４を用いて、１つのセンタと三つの拠点をＡＴＭ専用線によって接続した従来技術を用いた１：３接続のネットワークの構成を説明する。図４は、ＡＴＭ専用線によるセンタ側１、拠点側Ｎ（Ｎ＝３）の１：Ｎ（１：３）接続のネットワークシステムの構成例を示す。
【０００５】
センタ側のＬＡＮ３はルータ３１´に接続されており、ルータ３１´はＥｔｈｅｒｎｅｔ（登録商標）接続ケーブル９を介してＡＴＭ−ターミナルアダプタ（以下、ＡＴＭ−ＴＡという）１´へ接続されている。
【０００６】
ＡＴＭ−ＴＡ１´は、ＡＴＭ網５に接続されており、拠点ＡのＡＴＭ−ＴＡ７１Ａ、拠点ＢのＡＴＭ−ＴＡ７１Ｂ、拠点ＣのＡＴＭ−ＴＡ７１Ｃにそれぞれ仮想チャネル（以下、ＶＣという）５１Ａ、ＶＣ５１Ｂ、ＶＣ５１Ｃで接続されている。拠点側ではセンタ側と同様に拠点ＡにおいてＡＴＭ−ＴＡ７１ＡがＥｔｈｅｒｎｅｔケーブル９を介してルータ７２Ａに接続され、ルータ７２ＡはＬＡＮ７Ａに接続されている。
【０００７】
同様に拠点Ｂでは、ＡＴＭ−ＴＡ７１ＢがＥｔｈｅｒｎｅｔケーブル９を介してルータ７２Ｂに接続され、ルータ７２ＢはＬＡＮ７Ｂに接続されており、拠点ＣではＡＴＭ−ＴＡ７１ＣがＥｔｈｅｒｎｅｔケーブル９を介してルータ７２Ｃに接続され、ルータ７２ＣはＬＡＮ７Ｃに接続されている。
【０００８】
次に、図４の構成例での動作について説明する。通常、拠点ＡのＬＡＮ７Ａ内のホスト端末が拠点ＢのＬＡＮ７Ｂ内のホスト端末と通信を行う際は、拠点Ａのルータ７２Ａ→ＡＴＭ−ＴＡ７１Ａ→ＡＴＭ網５→ＡＴＭ−ＴＡ１→ルータ３１´→ＡＴＭ−ＴＡ１´→ＡＴＭ網５→ＡＴＭ−ＴＡ７１Ｂ→拠点Ｂのルータ７２Ｂ、の経路を辿って通信を行う（例えば、非特許文献１参照）。
【０００９】
よって、一度センタ側のルータ３１´を経由するためにどうしても遅延が大きくなってしまう。また、このルータ３１´ではそれぞれの拠点へデータを振り分けるために複雑なサブネットマスクの設定が必要になり、ネットワークの構築、運用に手間がかかってしまうという問題がある。
【００１０】
図５を用いて、ＡＴＭ専用線をアクセス回線として広域ＬＡＮサービスを用いた上記と同様のセンタ側１、拠点側３の１：３接続のネットワークシステムの構成例を説明する。センタ側のＬＡＮ３はルータ３１´に接続されており、ルータ３１´はＥｔｈｅｒｎｅｔ接続ケーブル９を介してＡＴＭ−ＴＡ１´へ接続されている。同様に拠点Ａ、Ｂ、ＣのＬＡＮ７Ａ、ＬＡＮ７Ｂ、ＬＡＮ７Ｃはルータ７２Ａ、ルータ７２Ｂ、ルータ７２Ｃに接続されており、ルータ７２Ａ、ルータ７２Ｂ、ルータ７２ＣはそれぞれＥｔｈｅｒｎｅｔ接続ケーブル９を介してＡＴＭ−ＴＡ７１Ａ、ＡＴＭ−ＴＡ７１Ｂ、ＡＴＭ−ＴＡ７１Ｃへ接続されている。それぞれの拠点は、ＡＴＭ網５をアクセス回線としてＶＣ５１、ＶＣ５２Ａ、ＶＣ５２Ｂ、ＶＣ５２Ｃで広域ＬＡＮサービス５５に接続されている。
【００１１】
拠点ＡのＬＡＮ７Ａ内のホスト端末が拠点ＢのＬＡＮ７Ｂ内のホスト端末と通信を行うには、拠点Ａのルータ７２Ａ→ＡＴＭ−ＴＡ７１Ａ→ＡＴＭ網５→広域ＬＡＮサービス５５→ＡＴＭ網５→ＡＴＭ−ＴＡ７１Ｂ→拠点Ｂのルータ７２Ｂ、の経路を辿って通信を行う。この構成では、上記図４のネットワーク構成例に比べ、遅延が小さく、ルータを使用しなくてもネットワークを構築することが可能であるが、広域ＬＡＮサービスを使用するため、ランニングコストが高くなってしまうという問題がある。
【００１２】
【非特許文献１】
ｈｔｔｐ；／／ｗｗｗ．ｎｔｔ．ｃｏｍ／ｄｎｗｓ／ｉｐ−ｖｐｎ／ｓｅｒｖｉｃｅ／ｉｐｖｐｎ０１．ｈｔｍｌ
【００１３】
【発明が解決しようとする課題】
本発明の目的は、ランニングコストが安くなおかつ遅延が小さいネットワークを構築可能とするターミナルアダプタを供給することにある。
【００１４】
【課題を解決するための手段】
本発明は、ＡＴＭ専用線に接続するためのターミナルアダプタにおいて、複数の拠点とＶＣによって接続する手段と、回線側と端末側でＭＡＣアドレスを学習する手段と、受信したフレームの送信先ＭＡＣアドレスと学習テーブルに登録されたＭＡＣアドレスを比較する手段と、ＡＴＭ専用線にセルを送信する時に送信するフレームの送信先ＭＡＣアドレスと仮想チャネル識別子（以下、ＶＣＩと略す）を対応させ、該当のＶＣにのみセルを送信する手段と、送信先と学習テーブルを比較して合致しない場合は回線側と端末側の全てのポートにブロードキャストする手段と、受信したフレームがブロードキャスト、あるいはマルチキャストフレームの場合に全てのポートに対し、フレームを送信する手段とを備えたことを特徴とする。
【００１５】
さらに、本発明は、端末をＡＴＭ専用線に接続するためのターミナルアダプタにおいて、端末との間でフレームによるデータを送受信するインタフェースと、ＡＴＭ専用線上で複数の拠点と仮想チャネルによって接続するＡＴＭインタフェースと、ＡＴＭ専用線から受取ったセルをフレームに組み立て端末から受け取ったフレームをセルに分離する手段と、ＡＴＭ専用線側または端末側から受信したフレームのＭＡＣアドレスを取得するＭＡＣアドレス取得手段と、ＡＴＭ専用線から受信したＭＡＣアドレスを登録する回線側ＭＡＣアドレス登録テーブルと、端末から受信したＭＡＣアドレスを登録する端末側ＭＡＣアドレス登録テーブルと、ＡＴＭ専用線または端末から受信したフレームの送信先ＭＡＣアドレスと回線側ＭＡＣアドレス登録テーブルもしくは端末側ＭＡＣアドレス登録テーブルに登録されたＭＡＣアドレスを比較する送信先ＭＡＣアドレス比較手段と、ＡＴＭ専用線から受信したフレームの送信元ＭＡＣアドレスと回線側ＭＡＣアドレス登録テーブルに登録されたＭＡＣアドレスを比較する送信元ＭＡＣアドレス比較手段と、上記送信元ＭＡＣアドレスが回線側ＭＡＣアドレス登録テーブルに登録されていないときに、当該ＭＡＣアドレスを回線側ＭＡＣアドレス登録テーブルに登録するＭＡＣアドレス登録手段と、送信先ＭＡＣアドレスとＡＴＭ専用線の仮想チャネル識別子を対応させたＭＡＣアドレス−仮想チャネル識別子変換テーブルと、ＭＡＣアドレス登録テーブルに登録したＭＡＣアドレスのエージングを行うエージングタイマを備えた。
【００１６】
【発明実施の形態】
図１を用いて、本発明の実施の形態にかかる接続を行うネットワークシステムの構成を説明する。本発明では、図４の構成例とは異なり、センタ側のＬＡＮ３は複雑なサブネットマスクの設定が必要なルータを使用せずにルータ３１を介して本発明にかかるＡＴＭ−ＴＡ１に接続される。本発明にかかるＡＴＭ−ＴＡを用いたネットワークシステムは、センタ側ＬＡＮ３と複数の拠点Ａ、Ｂ、ＣのＬＡＮ７Ａ，７Ｂ，７ＣをＡＴＭ網５を会して接続して構成される。
【００１７】
センタ側のＬＡＮ３はルータ３１に接続されており、ルータ３１はＥｔｈｅｒｎｅｔ接続ケーブル９を介してＡＴＭ−ＴＡ１へ接続されている。
【００１８】
ＡＴＭ−ＴＡ１は、ＡＴＭ網５に設けたＡＴＭ専用線に接続されており、拠点ＡのＡＴＭ−ＴＡ７１Ａ、拠点ＢのＡＴＭ−ＴＡ７１Ｂ、拠点ＣのＡＴＭ−ＴＡ７１ＣにそれぞれＶＣ５１Ａ、ＶＣ５１Ｂ、ＶＣ５１Ｃで接続されている。拠点側ではセンタ側と同様に拠点ＡにおいてＡＴＭ−ＴＡ７１ＡがＥｔｈｅｒｎｅｔ接続ケーブル９を介してルータ７２Ａに接続され、ルータ７２ＡはＬＡＮ７Ａに接続されている。同様に拠点ＢにおいてはＡＴＭ−ＴＡ７１ＢがＥｔｈｅｒｎｅｔ接続ケーブル９を介してルータ７２Ｂに接続され、ルータ７２ＢはＬＡＮ７Ｂに接続される。拠点ＣにおいてＡＴＭ−ＴＡ７１ＣがＥｔｈｅｒｎｅｔ接続ケーブル９を介してルータ７２Ｃに接続され、ルータ７２ＣはＬＡＮ７Ｃに接続される。
【００１９】
図１の構成例において拠点ＡのＬＡＮ７Ａ内のホスト端末が拠点ＢのＬＡＮ７Ｂ内のホスト端末と通信を行うには、拠点Ａのルータ７２Ａ→ＡＴＭ−ＴＡ７１Ａ→ＡＴＭ網５→ＡＴＭ−ＴＡ１→ＡＴＭ網５→ＡＴＭ−ＴＡ７１Ｂ→拠点Ｂのルータ７２Ｂ、の経路を辿って通信を行う。つまり、本発明にかかるＡＴＭ−ＴＡ１では、回線側から受信したフレームをＬＡＮ３のルータ３１に送信せずに、ＡＴＭ−ＴＡ１で回線側にフレームを折り返してやることによって遅延を小さくすることができ、なおかつ、設定が複雑なルータを使用せずに１：Ｎ接続のネットワークの構築が可能となる。また、ランニングコストも小さくすることができる。
【００２０】
図２を用いて、本発明にかかるＡＴＭ−ＴＡにおけるフレームの送受信に関する機能構成を説明する。本発明にかかるＡＴＭ−ＴＡ１は、ＡＴＭインタフェース１１、ＳＡＲ機能部１２、ＭＡＣアドレス取得部１３、送信先ＭＡＣアドレス比較部１４、送信元ＭＡＣアドレス比較部１５、Ｅｔｈｅｒｎｅｔインタフェース１６、端末側学習テーブル１７、回線側学習テーブル１８、第１のエージングタイマ１９−１、第２のエージングタイマ１９−２を有して構成される。
【００２１】
ＡＴＭインタフェース１１は、ＡＴＭ−ＴＡ１をＡＴＭ網５へ接続するためのインタフェースであり、ＶＣに対応した複数のポートを有している。
【００２２】
ＳＡＲ機能部１２は、ＡＴＭインタフェース１１が受信したＡＴＭセルからフレームを復元し、Ｅｔｈｅｒｎｅｔインタフェース１６から受信したフレームをＡＴＭセルへ分割する働きを有している。
【００２３】
ＭＡＣアドレス取得部１３は、ＳＡＲ機能部１２で復元されたフレームの送信先ＭＡＣアドレスを取得し、このフレームがマルチキャストフレームもしくはブロードキャストフレームであるかを判断し、マルチキャストフレームもしくはブロードキャストフレームである場合は回線側インタフェースであるＡＴＭインタフェース１１および端末側インターフェースであるＥｔｈｅｒｎｅｔインタフェース１６の全てのポートにフレームを送信し、マルチキャストフレームもしくはブロードキャストフレームでない場合は送信先ＭＡＣアドレス比較部１４にデータを渡す働きを有している。
【００２４】
送信先ＭＡＣアドレス比較部１４は、ＭＡＣアドレス取得部１３から送られてきた送信先ＭＡＣアドレスを端末側学習テーブル１７や回線側学習テーブル１８に記述されたＭＡＣアドレスと比較し、学習テーブル１７，１８に記述されたＭＡＣアドレスに対応するポートへとフレームを送信する働きを有している。
【００２５】
送信元ＭＡＣアドレス比較部１５は、ＭＡＣアドレス取得部１３で取得した送信元ＭＡＣアドレスを回線側学習テーブル１８に記述されたＭＡＣアドレスと比較し、送信元のＭＡＣアドレスが回線側学習テーブル１８にあった場合には当該データの第２のエージングタイマ１９−２を初期化し、送信元ＭＡＣアドレスが回線側の学習テーブル１８になかった場合には回線側学習テーブル１８に送信元ＭＡＣアドレスを登録するとともに、登録したデータのエージングタイマ１９−２を起動する働きを有している。
【００２６】
Ｅｔｈｅｒｎｅｔインタフェース１６は、ＡＴＭ−ＴＡ１にＥｔｈｅｒｎｅｔ端末を接続する手段であり、Ｅｔｈｅｒｎｅｔケーブル９に対応したポートを有している。
【００２７】
端末側学習テーブル１７は、Ｅｔｈｅｒｎｅｔインタフェース１６を介してＬＡＮ３に収容されている端末のＭＡＣアドレスとＥｔｈｅｒｎｅｔインタフェース１６のポート番号が記述されるテーブルであり、ＭＡＣアドレスとポート番号からなる各データは所定の期間使用されないと消去される。
【００２８】
回線側学習テーブル１８は、ＡＴＭインタフェース１１を介して接続される端末のＭＡＣアドレスとＡＴＭインタフェース１１のポート番号を記述したテーブルであり、ＭＡＣアドレスとポート番号からなる各データは所定の期間使用されないと消去される。
【００２９】
エージングタイマ１９−１、１９−２は、学習テーブル１７，１８に記憶されたアドレスのエージングを行うためのタイマであり、新たにＭＡＣアドレスを登録した時点で起動され、当該ＭＡＣアドレスが使用されたときに初期化され、所定の時間が経過した時点で学習テーブルの当該アドレスを消去する指示を出力する。
【００３０】
図３を用いて、本発明にかかるＡＴＭ−ＴＡ１がＡＴＭ専用線からセルを受信した時の動作シーケンスを説明する。図１における拠点ＡのＬＡＮ７Ａ内のホスト端末から送信されたフレームがＡＴＭ−ＴＡ７１Ａでセルに分解され、ＡＴＭ網５のＶＣ５１Ａを介してＡＴＭ−ＴＡ１へ送信される。ＡＴＭ−ＴＡ１は、ＶＣ５１Ａからセルを受信すると（ステップＳ１）、受信したセルをＳＡＲ機能部１３においてフレームに復元する（ステップＳ２）。ＭＡＣアドレス取得部１３では復元されたフレームの送信先ＭＡＣアドレスを取得し（ステップＳ３）、そのフレームがブロードキャストフレームか、あるいはマルチキャストフレームかを調べる（ステップＳ４）。
【００３１】
ＡＴＭ網から受信したフレームがブロードキャストフレームまたはマルチキャストフレームの場合（ステップＳ５：Ｙｅｓ）には、回線側インタフェース１６と端末側インタフェース１１の全てのポートに対してフレームを送信する（ステップＳ６）。
【００３２】
ＡＴＭ網から受信したフレームがブロードキャストフレームまたはマルチキャストフレームでない場合（ステップＳ５：Ｎｏ）には、送信先ＭＡＣアドレスと端末側学習テーブル１７に登録されたＭＡＣアドレスとを比較する（ステップＳ７）。送信先ＭＡＣアドレスと端末側学習テーブル１７に登録されているＭＡＣアドレスが合致した場合（ステップＳ８：Ｙｅｓ）には、端末側のＥｔｈｅｒｎｅｔインタフェース１６の該当するポートへフレームを送信する（ステップＳ９）。
【００３３】
送信先ＭＡＣアドレスと端末側学習テーブル１７に登録されているＭＡＣアドレスが合致しなかった場合（ステップＳ８：Ｎｏ）には、送信先ＭＡＣアドレスと回線側学習テーブル１８に登録されているＭＡＣアドレスを比較する（ステップＳ１０）。
【００３４】
送信先ＭＡＣアドレスと回線側学習テーブル１８に登録されているＭＡＣアドレスが合致しなかった場合（ステップＳ１１：Ｎｏ）には、回線側インタフェース１６と端末側インタフェース１１の全てのポートに対してフレームを送信する（ステップＳ６）。
【００３５】
送信先ＭＡＣアドレスと回線側学習テーブル１８に登録されているＭＡＣアドレスが合致した場合（ステップＳ１１：Ｙｅｓ）には、ＡＴＭ−ＴＡ１内に備えたＭＡＣアドレスとＶＣＩの変換テーブルからそのＭＡＣアドレスに対応したＶＣＩを取得し（ステップＳ１２）、そのＶＣへのみフレームを送信する（ステップＳ１３）。
【００３６】
また、受信した全てのフレームに対して送信元ＭＡＣアドレスを取得し（ステップＳ１４）、回線側学習テーブル１８に登録されたＭＡＣアドレスと比較する（ステップＳ１５）。送信元ＭＡＣアドレスと回線側学習テーブル１８に登録されているＭＡＣアドレスが合致した場合（ステップＳ１６：Ｙｅｓ）には、当該のＭＡＣアドレスのエージングタイマを初期化する（ステップＳ１７）。送信元ＭＡＣアドレスと回線側学習テーブル１８に登録されているＭＡＣアドレスが合致しなかった場合（ステップＳ１６：Ｎｏ）には、回線側学習テーブル１８にその送信元ＭＡＣアドレスを登録し（ステップＳ１８）、エージングタイマをスタートさせる。それ以降そのＭＡＣアドレスのフレームを受信しない時にはエージングタイマのカウンタが“０”になった時にそのＭＡＣアドレスを消去する。
【００３７】
以上のように、ＡＴＭ−ＴＡが上記の手段を備え上記の処理を行うことにより、拠点ＡのＬＡＮ内のホスト端末と拠点ＢのＬＡＮ内のホスト端末はセンタ側でルータを使用しなくても、通信を行うことが可能となる。
【００３８】
【発明の効果】
本発明により、ＡＴＭ専用線を用いた１：Ｎ接続のネットワークの構成においてランニングコストを安く、なおかつ遅延が少ないネットワークが構築可能となり、さらに複雑なルータの設定が必要なくなり、ネットワークの構築、運用も容易とすることが可能なターミナルアダプタを提供できる。
【図面の簡単な説明】
【図１】本発明にかかるＡＴＭ−ＴＡを使用した場合の１：Ｎの接続構成を示す図。
【図２】本発明にかかるＡＴＭ−ＴＡの機能構成を示すブロック図。
【図３】拠点同士で通信を行う場合の本発明にかかるＡＴＭ−ＴＡにおける処理を説明する流れ図。
【図４】一般的なＡＴＭ専用線を使用した１：Ｎの接続構成を示す図。
【図５】一般的な広域ＬＡＮサービスを使用した接続構成を示す図。
【符号の説明】
１  センタ側のＡＴＭ専用線対応ターミナルアダプタ
１１  ＡＴＭインタフェース
１２  ＳＡＲ機能部
１３  ＭＡＣアドレス取得部
１４  送信先ＭＡＣアドレス比較部
１５  送信元ＭＡＣアドレス比較部
１６  Ｅｔｈｅｒｎｅｔインタフェース
１７  端末側学習テーブル
１８  回線側学習テーブル
１９−１  端末側学習テーブル用エージングタイマ
１９−２  回線側学習テーブル用エージングタイマ
３  ンタ側のＬＡＮ
３１  センタ側のＬＡＮにおけるルータ
５  ＡＴＭ網
５１  拠点に割り当てられたＡＴＭ網の仮想チャネル（ＶＣ）
５２  広域ＬＡＮサービスへのアクセス回線としてＡＴＭ専用線を使用したときの拠点に割り当てられた仮想チャネル
５５  広域ＬＡＮサービス網
７    拠点側のＬＡＮ
７１  拠点側のＡＴＭ専用線対応ターミナルアダプタ
７２  拠点側のＬＡＮにおけるルータ
９  Ｅｔｈｅｒｎｅｔ接続ケーブル
【図１】
2004228652.tif 000003
【図２】
2004228652.tif 000004
【図３】
2004228652.tif 000005
【図４】
2004228652.tif 000006
【図５】
2004228652.tif 000007